(57)【要約】【課題】  極めてシンプルな構成で使用、管理が容易であり、しかも低コストで気軽に利用することができ、個人情報の漏洩防止も期すことができ、患者に対する服薬指導用としても好適な服薬カードを提供する。【解決手段】  使用者の投薬情報を蓄積するデータ記録手段３と、このデータ記録手段に対し、外部の情報機器からのデータの入出力を行うインターフェース手段４とを備え、かつ、少なくとも一方の面に薬の服用情報を書換可能に表示できる情報表示部５を備えてなる構成とした。【選択図】  図２
2008234040.tif 000002
【特許請求の範囲】
【請求項１】
使用者の投薬情報を蓄積するデータ記録手段と、このデータ記録手段に対し、外部の情報機器からのデータの入出力を行うインターフェース手段とを備え、かつ、少なくとも一方の面に薬の服用情報を書換可能に表示できる情報表示部を備えてなる服薬カード。
【請求項２】
前記情報表示部を、サーマルリライタブルフィルムで構成してなる請求項１に記載の服薬カード。
【請求項３】
前記データ記録手段とカード表面の少なくともいずれか一方に、カード固有の識別コードを記録または表示してなる請求項１に記載の服薬カード。
【請求項４】
前記インターフェース手段を、ＲＦＩＤタグで構成してなる請求項１に記載の服薬カード。
【請求項５】
前記ＲＦＩＤタグをパッシブ型のもので構成してなる請求項４に記載の服薬カード。
【発明の詳細な説明】
【技術分野】
【０００１】
本発明は医療機関にて処方された薬の服用に関する情報を記録、表示する服薬カードに関し、特に調剤薬局における服薬指導用として好適な服薬カードに関する。
【背景技術】
【０００２】
薬のデータを、携帯式の記憶媒体に記録できるようにする提案については、従来から処方箋データを対象としたものがある（例えば、特許文献１、２参照）。
【０００３】
しかし、処方箋データは病院などの処方箋を発行する側の医療機関と、この処方箋を受けて調剤を行う調剤薬局との間の専門的な情報の交換に利用することには有効であっても、患者が個人的に服薬のための情報として利用するのは困難である。
【０００４】
また、処方箋データの携帯においては、患者個人の保険証データなどが記録されるため、プライバシーの保護という観点についても問題が存在している。
【０００５】
さらに、記録可能なデータ量を多めに設定せねばならず、したがって処方箋データを記録する、あるいはデータを管理するハードウェア構成も複雑で高価なものとしなければならないという問題もある。
【０００６】
【特許文献１】特開２００４−２１２５０号公報（第１〜５頁、図１〜４）
【特許文献２】特開２００４−７８８２５号公報（第１〜７頁、図１〜６）
【発明の開示】
【発明が解決しようとする課題】
【０００７】
本発明は、極めてシンプルな構成で使用、管理が容易であり、しかも低コストで気軽に利用することができ、個人情報の漏洩防止も期すことができ、患者に対する服薬指導用としても好適な服薬カードを提供することを目的としている。
【課題を解決するための手段】
【０００８】
上述した目的を達成するために、本発明に係る服薬カードは、使用者の投薬情報を蓄積するデータ記録手段と、このデータ記録手段に対し、外部の情報機器からのデータの入出力を行うインターフェース手段とを備え、かつ、少なくとも一方の面に薬の服用情報を書換可能に表示できる情報表示部を備えてなる構成のものとしてある。
【０００９】
また、前記情報表示部を、サーマルリライタブルフィルムで構成したり、前記データ記録手段とカード表面の少なくともいずれか一方に、カード固有の識別コードを記録または表示したりした構成のものとしてある。
【００１０】
さらに、前記インターフェース手段を、ＲＦＩＤタグで構成し、このＲＦＩＤタグをパッシブ型のもので構成したものとしてある。
【発明の効果】
【００１１】
本発明によれば、カード内のインターフェース手段を介して外部から同カード内のデータ記録手段に、例えば現在服薬中の薬データを記録することにより、この薬を処方した医療機関や調剤した薬局以外の医療機関などに現在の服薬情報を正確かつ簡単に呈示することができ、二重処方による健康被害の防止や保険医療費の低減を期すことができる。
【００１２】
また、情報表示部に現在服用している薬の一覧やその用法、容量などの服用情報を書換可能に印字することにより、使用者（患者）が正確な服用を行うことができ、しかもこの表示に基いて調剤薬局における服薬指導をより徹底して行うことができる。
【００１３】
さらに、カード固有の識別コードを付したものでは、この識別コードに基いて、例えば調剤薬局に設置された情報端末や自宅のパソコンなどの情報端末を介して使用者（患者）が自らの服薬情報や薬に関する詳細な情報を容易に入手することができるというメリットもある。
【００１４】
しかも、カードそのものは現在市場に広く普及しているＩＣカードや磁気記録カードを応用することが可能であり、低コストに導入でき、したがって医療機関や調剤薬局における患者向けサービスとして好適である。
【発明を実施するための最良の形態】
【００１５】
以下、本発明に係る服薬カードの実施例を添付図面に示す具体例に基いて詳細に説明する。
服薬カード１は内部にＩＣチップ２を備えており、このＩＣチップ２は使用者（患者）の投薬情報を蓄積するデータ記録手段３と、このデータ記録手段に対し、外部の情報機器からのデータの入出力を行うインターフェース手段４とを備えている。
【００１６】
前記インターフェース手段４は、例えばパッシブ型のＲＦＩＤタグで構成してあって、外部の情報端末から発せられる微弱電波を受信して、この微弱電波を構成する入出力制御信号やデータ信号によってデータの入出力を行うことができるものとしてある。
【００１７】
このようなパッシブ型のＲＦＩＤタグを用いると、カード自体を極めてコンパクトで、バッテリー管理などの煩雑さも解消され、しかも安価に採用することができ、また前記外部情報端末もシンプルなものとすることができるというメリットがあり、またＲＦＩＤタグそのものに、ある程度のデータ記録領域を備えるものもあるので、このようなデータ記録領域を備えるものでは前記データ記録手段３とインターフェース手段４をひとつのＲＦＩＤタグで構成することも可能である。
【００１８】
しかして、本発明の服薬カードは、その少なくとも一方の面（例えば表面）に、図２に示されるように薬の服用情報を書換可能に表示できる情報表示部５を備えており、この情報表示部には現在服用している（またはこれから服用する）薬の情報が書換可能に表示できるようになっている。
【００１９】
上記情報表示部５は、例えばサーマルリライタブルフィルムをカード本体の表面に貼付したもので構成し、このサーマルリライタブルフィルムは、サーマルヘッドやレーザー等の加熱手段によって表面に加える温度をコントロールすることにより、文字や図形を表示、消去することができるものとしてある。
【００２０】
そして、この情報表示部５に表示される薬の情報としては、例えば薬の処方日、服用している薬の名前、用法、容量などが一覧として表示される。
【００２１】
なお、情報表示部に表示する薬の情報は、後日新たに薬が処方されると更新されるものとしてあり、原則として服用期間内の薬の情報のみが記載されることが好ましいが、薬の履歴情報を表示する場合もあるし、他の薬との飲みあわせ等に問題があったり、重大な副作用が起こるおそれのある薬についての注意喚起用の表示を載せたりする場合もある。
【００２２】
また、この情報表示部５の周囲におけるカードの面の余白部分６には、例えばカードを発行する調剤薬局の名前や連絡先電話番号などの情報が表示され、その他広告などの適宜の印刷を施す場合もある。
【００２３】
上述したカード１の少なくとも一方の面（例えば裏面）には、図３に示されるように、カードの利用方法や取扱上の注意、カードを発行する調剤薬局についての情報などを印刷により表示しておくとともに、カード固有の識別コード７も印刷によって表示しておく。
【００２４】
上記識別コード７は、前記インターフェース手段４内にもデジタル情報として記録しておくのが好ましく、この識別コードを利用することによって、例えば調剤薬局に蓄積されている使用者（患者）個人の投薬履歴等の投薬に関する各種データを、例えば自宅のパソコンなどの外部の情報端末から取得、利用したり、あるいは薬の詳細情報について所要のインターネットホームページから照会することができるようにしたりという応用範囲の拡大を期すことができる。
【００２５】
上述した実施例のものは調剤薬局において頒布されるのに好適なものであるのに対し、薬の処方を行う病院等の医療機関側にて頒布されるのに好適なものに構成する場合もあり、この場合には前記情報表示部５の反対側の面（例えば裏面）に、病院の診察券として利用することもできるように使用者（患者）の名前やカルテ番号などの診察券情報の表示部を設ける。
【図面の簡単な説明】
【００２６】
【図１】本発明に係るカードの実施例を示す構成図。
【図２】本発明に係るカードの実施例を示す正面図。
【図３】図２の背面図。
【符号の説明】
【００２７】
１  服薬カード
２  ＩＣチップ
３  データ記録手段
４  インターフェース手段
５  情報表示部
６  余白部分
７  識別コード
【図１】
2008234040.tif 000003
【図２】
2008234040.tif 000004
【図３】
2008234040.tif 000005